(57)【要約】【課題】LEDライトを改造することなく、内部に基板を挿入するだけで、ライトを点滅動作させる。また、基板を入れたままの簡単な操作でライトを点灯動作へ戻す。【解決手段】LEDライトの電源１とLED２の間に点滅基板（直列発振回路）を挿入して軽く締め込み、スイッチ4をオンするとライトが点滅動作をおこなう。またライトの締込位置を深くすると、点滅基板上に設けた接点で直列発振回路を短絡させることで点灯動作をおこなう。散歩や自転車等に乗るときに、ライトを点滅動作させると、目立って安全を確保し、点滅させることで消費電力を減らして、電池の長寿命化が図れる。点滅基板をライトに挿入することで安全確保と省電力が実現できる。【選択図】図５
2013004918.tif 000002
【特許請求の範囲】
【請求項１】
負荷と電源の間に直列に接続し、負荷から微小な電力を得て発振し、負荷と電源をオンオフさせることを特徴とする点滅基板。
【請求項２】
1項の請求範囲で、直列に接続された電池間に挿入することを特徴とする点滅基板。
【請求項３】
1項の請求範囲で、短絡用の配線を持ち、電極間が狭くなった時に回路を短絡することを特徴とする点滅基板。
【請求項４】
1項の請求範囲で、可変抵抗を使用して発振周期を変更することを特徴とする点滅基板。
【発明の詳細な説明】
【背景技術】
【０００１】
従来技術の点滅回路の使用例として、自転車用照明装置（公開番号： 2008120107）がある。図1はこの例に使用された電気回路図である。
自転車が動き始めるとダイナモ3が発電し、倍電圧整流回路30を通してダイオードD9でコンデンサ51に充電してDC電源が供給される。DC電源が3V以上になるとLED7が点灯し、マルチバイブレータ回路50が発振してLED８は点滅するように動作する。
【先行技術文献】
【特許文献】
【０００２】
【特許文献１】自転車用照明装置（公開番号： 2008120107）
【発明の概要】
【発明が解決しようとする課題】
【０００３】
マルチバイブレータ回路50とLED８の接続に着目すると、従来の点滅回路では電源、GND、LED出力の3本の信号が必要であり、電源とLEDを直列に接続して点滅させることはできなかった。またトランジスタを2個使用し、片方がONの時はもう一方はOFFし、常にいずれかがONするように動作するので、消費電流が多くなる欠点があった。
また点滅の周期は固定であり使用環境に応じて変更することができなかった。さらに、点灯LED7と点滅LED８は別のLEDを使用するため、部品点数が多くなり基板も大きくなりコストが高くなるという欠点もあった。
【課題を解決するための手段】
【０００４】
本発明は2端子の簡単な発振回路の点滅基板を使い、ライトと電池間に直列に接続して点滅と点灯を切替えるライトを実現する。
【発明の効果】
【０００５】
本発明の点滅基板を市販のライトに付加することで、ライトをいろいろな用途に簡単に変えることができる効果がある。
例えば電池が直列に入ったLEDライトでは、電池の間にこの基板を入れるだけで負荷から微小な電流を得て発振しLEDライトを点滅させるため、既存のライトを簡単に点灯動作から点滅動作に変えることができる。
電池パックを使ったライトはバネと電池パックの間に隙間が有るので、点滅基板に短絡配線や可変抵抗を付けることができる。
短絡配線を使う場合は、点滅基板の出力を短絡させて、点滅動作を点灯動作に変える時に使用する。例えば、ライトを点滅から点灯へ変える時には、ライトの電池交換部分(蓋)の締付位置を深くすることで、バネと短絡配線を短絡させ、点滅動作を点灯動作に簡単に変える様に動作する。
可変抵抗を使う場合は、ライトの使用目的を変える時に使用する。例えば、警告表示にする場合は点滅周期を早くして目立たせ、位置表示に使用する場合は点滅周期を遅くして消費電力を少なくし、電池の消耗を減らす様に使用する。
このように本発明の点滅基板を付加することで、点灯ライトをいろいろな用途に使える点灯・点滅ライトに変えることができ、市販のライトを安全で省電力のライトにする効果がある。
【図面の簡単な説明】
【０００６】
【図１】図1は従来技術の点滅回路の使用例として、自転車用照明装置（公開番号： 2008120107）に使用された電気回路図である。
【図２】図2は従来の点灯ライトの構造図である。１は電池  2はLED  3はケース  4はスイッチ  ６はバネである。
【図３】図3は本発明を利用した点滅ライトの構造図である。１は電池  2はLED  3はケース  4はスイッチ  5は点滅基板、６はバネである。
【図４】図４は従来の点灯ライトの構造図である。１は電池パック  2はLED  3はケース  4はスイッチ  ６はバネである。
【図５】図５は本発明を利用した点滅周期を可変にした点滅ライトの構造図である。１は電池パック  2はLED  3はケース  4はスイッチ  ６はバネ、７は点滅基板である。
【図６】図６は点滅ライトで短絡配線を設置した場合の基板周辺の拡大図である。４はスイッチ、６はバネ、７は点滅基板、８は短絡配線、９はスイッチのカバー、＋−は点滅基板の極性、矢印は電極（図示せず）間の距離である。
【図７】図7は接点バネを用いてLED２を点灯させる構造図である。４はスイッチ、６はバネ、７は点滅基板、８は短絡配線、９はスイッチのカバー、１０は接点バネ、＋−は点滅基板の極性、矢印は電極（図示せず）間の距離である。
【図８】図8は本発明を実現する発振回路の回路図である。トランジスタQ1,Q2、コンデンサC1と4本の抵抗で構成される。Q2がバイポーラのトランジスタの場合R4は不要になり、抵抗は3本になる。動作説明のため右側に電池１、ＬＥＤ２、スイッチ４、バネ６を記した。
【発明を実施するための形態】
【０００７】
2端子の簡単な発振回路基板をLEDと電池間に直列に接続することで実現できる。
【実施例】
【０００８】
図２は従来の点灯ライトの構造図で、直列に接続された電池１のプラスがLED２の＋側（アノード）に接続され、LED2の−側（カソード）はケース３を通してスイッチ４に接続され、スイッチ4の他方は電池１のマイナス側にバネ６を通して接続されている。スイッチ４をオンにすれば、電池１からLED2に電流が流れLED２は点灯する。内蔵電池１を交換するために、ケース3はライトの上側もしくは下側に開口部分（蓋)があり、蓋を回すことで、スイッチ４とバネ６部分を外し、電池１を交換できる構造になっている。
図３は本発明を利用した点滅ライトの構造図で、電池１からLED２とケース３、スイッチ4とバネ６を通して電流が流れ、LED2が点灯する。電池１の間に点滅基板５が挿入されており、スイッチ４をONにすると点滅基板４がオンオフを繰り返し、LED２は点滅する。
このように市販ライトの電池の間に点滅基板を挿入することで、簡単に点滅動作に変えることができる。この実施例の点滅ライトは夕方や夜間に散歩する時に有用であり、点滅することで周囲から目立ち、自転車等との衝突を防止できる。また電流はLEDが点灯している時しか消費しないため、消費電流を点灯時の1/4程度に少なくし、電池の寿命を長くすることができる。
図４は従来の点灯ライトの構造図で、バネ６の周囲にスペースがある。スイッチ4をONにすると、電池１の＋からLED２とケース３、スイッチ4、バネ６を通して電流が流れ、LED2が点灯する。
図５は本発明を利用した点滅周期を可変にした点滅ライトの構造図で、点滅基板７がバネ６と電池１の間に挿入されている。スイッチ４をONにすると点滅基板７がオンオフを繰り返し、LED２は点滅する。また基板７に搭載されたボリウム（記載せず）を回すと点滅の周期を変えることができる。
この実施例は複数の電池がパックされライトに装着されている場合に効果がある。この構造では、バネの周囲にスペースがあり、点灯ライトの機能を変える点滅基板７を置くスペースが確保できる。また点滅基板７の中に可変抵抗を置くことで点滅周期を変えることができる。
点滅周期はライトの用途によって変える。例えば、警告表示の場合は点滅周期を早くして目立つようにする。位置表示で例えば駐車場で車の位置を明示するような時は、周期を遅くし消費電流を少なくする。
図６は本発明を応用した点滅ライトで短絡配線を設置した基板周辺の拡大図である。電池の開口部分（破線部）を緩めて電池とケースの電極間の距離を長くすると、バネ６と点滅基板７を通して電流が流れるためLED２は点滅する。逆に電池パックとケース間の距離を短くすると、バネ6と短絡配線８が接触して、電流はバネ６から短絡配線８を通して点滅基板７の−側へ直接流れてLED２は点灯する。
図７は本発明の接点バネ10を用いてLED２を点灯させる構造図である。ライトに蓋を装着すると、接点バネ10はバネ６と接続される。電池の開口部分（蓋）を緩めて電池とケースの電極間の距離を長くすると、バネ６と点滅基板７を通して電流が流れるためLED２は点滅する。逆に電池とケース間の距離を短くすると、接点バネ10はスイッチ4のカバー９で押され短絡配線８と接触し、電流はバネ６から接点バネ10、短絡配線８を通して点滅基板７の−側へ直接流れてLED２は点灯する。接点バネ10の代わりに押しボタンスイッチ(図示せず)を置いて回路を短絡させることでも実現できる。
従って、ケースの蓋を緩くすればLED２を点滅させ、蓋を締め込めばLED2を点灯させることができる。この実施例は、LEDライトの点滅動作中に、電池の開口部(蓋）締める簡易な操作でLEDライトを点灯動作させることでできる。
図８は本発明を実現する発振回路の回路図である。トランジスタQ1のエミッタへ可変抵抗VR1とコンデンサC1の充放電電圧が接続され、トランジスタQ1のベースへ＋端子と−端子の抵抗R2とR3との分割電圧が接続される。トランジスタQ1のコレクタは抵抗R4とトランジスタQ2のゲートに接続され、トランジスタQ2のドレインは＋端子、ソースは−端子へ接続されている。回路の−端子は電池１の−側に接続され、電池１の＋側はLED２のアノード側、LED２のカソード側がスイッチ４、バネ６を通して＋端子に接続される。スイッチ４をONにすると、＋端子と−端子に電池１の電圧が印加される。トランジスタQ1のベースにはＲ２とＲ３の電源電圧の抵抗分割電位が印加され、トランジスタQ1のエミッタはコンデンサC1が初期状態では充電されておらず、低い電圧になっている。このためトランジスタQ1のエミッタ電位がベース電位より低く、Q1はオフし、Q1のコレクタ電圧は低電位で、トランジスタQ2のゲート電位が低いため、Q2もオフし、LED２は消灯している。その後、コンデンサC1は可変抵抗VR1で充電されて徐々に電圧が上昇し、トランジスタQ1のベース電圧＋約0.6Vの電圧に達すると、トランジスタQ1にベース電流が流れ、Q1がオンしてコレクタはエミッタとほぼ同じ電位になり、トランジスタQ2のゲート電圧が閾値を超えてQ2もオンして、LED２が点灯する。トランジスタQ2がオンすると、＋端子と−端子が低抵抗で接続され、＋端子の電圧が下がり、コンデンサＣ１に溜まった電荷でトランジスタQ1のベース電流が流れ続け、トランジスタQ2,Q1ともオン状態を維持する。その後、コンデンサC1は可変抵抗VR1とトランジスタQ2を通して放電し、徐々にコンデンサC1の電位が下がる。この電位がトランジスタQ2をオンさせるゲート電圧より下がると、トランジスタQ2はオフになる。トランジスタQ2がオフになるとLED２が消灯し、＋端子の電位が上昇して、トランジスタQ1のベース電圧も上がりQ1もオフする。トランジスタQ1がオフするとコンデンサC1は放電から充電に変わり、初期状態へ戻る。このようにして、コンデンサC1が充電時にはトランジスタQ2はオフし、コンデンサC1が放電時はQ2がオンして、LED２が消灯と点灯を繰り返す。本発明の点滅基板は負荷からコンデンサＣ１を充電する微小の電流を得て発振する回路であり、専用の電源が必要ない発振回路である。
コンデンサC1の充電を可変抵抗VR1で説明したが、用途を限定すれば固定抵抗でも実現できる。またトランジスタQ2をFETで説明したが、バイポーラトランジスタでも同様に機能する。しかし、C1の放電時間が短くなるので、点灯時間が短いフラッシュ点滅動作になる。
【産業上の利用可能性】
【０００９】
本発明の点滅基板は、市販の点灯ライトの中に基板を挿入するだけで、簡単に点滅ライトに変えることができる。ライトを点滅動作させることで、周囲から目立ち、安全性が向上する。さらにライトの消費電流も少なくなり、電池の寿命を長くすることができる。
本発明の点滅基板は、夜間に散歩するライトや夜間に自転車で走る時の補助ライトにも使用でき、点灯ライトを安全で省電力の点滅ライトに変えることができる。
【図１】
2013004918.tif 000003
【図２】
2013004918.tif 000004
【図３】
2013004918.tif 000005
【図４】
2013004918.tif 000006
【図５】
2013004918.tif 000007
【図６】
2013004918.tif 000008
【図７】
2013004918.tif 000009
【図８】
2013004918.tif 000010